(57)【要約】      （修正有）【課題】釣竿を釣竿受具に取り付けたとき、風向きや海流の方向の変化に応じて、釣竿を回動させて角度を調整することができる、釣竿受具の釣竿転向構造を提供する。【解決手段】中空前管１２が中空後管１１の前端に設置され、中空前管が固定部材により釣竿受具に固定され、内管１３の後端が中空後管内に固定され、前端が中空前管内に旋回可能に組み込まれ、内管の後部上半部に取付溝１３２が設けられ、内管の前端が釣竿と連結され、ラッチ部材１４のラッチ片１４１が内管の取付溝中に設置され、その後端が内管に軸着され、前端が取付溝中で上下移動可能であり、ラッチ片の前端下方に復帰ばね１４４が設置され、中空前管の内壁に周方向に等間隔で配列された複数の凹陥溝１２３が周設され、復帰ばねの弾力によりラッチ片の前端を凹陥溝のいずれかに係止させる。【選択図】図４
0003209036.tif 000002
【実用新案登録請求の範囲】
【請求項１】
釣竿受具の釣竿転向構造であって、中空後管と、中空前管と、内管と、ラッチ部材を含み、
前記中空前管が、前記中空後管の前端に設置され、前記中空前管にリール結合用の１組の結合部材が被着され、前記中空前管が固定部材により釣竿受具に固定され、前記中空前管及び前記中空後管が前記釣竿受具上に固定され、
前記内管の後端が前記中空後管内に固定され、前端が前記中空前管内で旋回可能に前記中空前管内に組み込まれ、前記内管の後部上半部に、断面において径方向に沿う取付溝が設けられ、前記内管の前端が前記釣竿の末端と相互に連結されて、前記中空後管及び前記内管の回動に連動して、前記釣竿が同時に旋回し、
前記ラッチ部材にラッチ片が設置され、前記ラッチ片の上端面上にボタンが設置され、前記ラッチ片が前記内管の取付溝中に設置され、その後端が前記内管に軸着されると共に、その前端が前記取付溝中で上下移動可能であり、前記内管の内部において前記ラッチ片の前端下方に復帰ばねが設置され、前記中空前管の内壁において前記ラッチ片の前端と対応する位置に、周方向に等間隔で配列された複数の凹陥溝が周設され、前記復帰ばねの弾力により前記ラッチ片の前端を上方に押圧して前記凹陥溝のいずれかに係止させ、前記内管を係止して回動を規制し、
前記ラッチ部材のボタンを押して、前記ラッチ片の前端を前記凹陥溝内から離脱させることにより、前記内管を回動可能とし、これにより、前記中空後管を握って前記内管及び前記釣竿を回動可能とし、前記ラッチ部材のボタンを開放することにより、前記ラッチ片の前端を前記復帰ばねの弾力により対応する別の凹陥溝中に再び係止して、前記内管の回動を再び規制して、前記釣竿を回動後の位置に固定することを特徴とする、釣竿受具の釣竿転向構造。
【請求項２】
前記内管の前端面に突起部が設けられ、前記釣竿の末端面に凹陥溝が形成され、前記突起部を前記凹陥溝中に嵌合させ、ナットによる前記内管、前記釣竿の螺合を通じて、前記内管の前端と前記釣竿の末端が相互に結合されて一体を成すことを特徴とする、請求項１に記載の釣竿受具の釣竿転向構造。
【請求項３】
前記中空前管の上表面において前記ラッチ部材のボタンに対応する位置に、０度の位置を示し、前記釣竿が左方向または右方向に回動された角度を把握するための基準点が設けられ、前記基準点は、赤色ペンキで前記上表面に塗装されていることを特徴とする、請求項１に記載の釣竿受具の釣竿転向構造。
【請求項４】
前記中空後管の後端部外周に保護カバーが被着されたことを特徴とする、請求項１に記載の釣竿受具の釣竿転向構造。
【請求項５】
前記保護カバーが弾性と摩擦力を備えたゴムスポンジ合成材質であることを特徴とする、請求項４に記載の釣竿受具の釣竿転向構造。
【請求項６】
前記中空後管に紐付けリングが被着され、前記紐付けリングに、落下した釣竿を引き寄せるための紐を取り付けたことを特徴とする、請求項１に記載の釣竿受具の釣竿転向構造。
【考案の詳細な説明】
【技術分野】
【０００１】
本考案は、釣竿を取り付けたとき、釣竿を回動させて角度調整することができる、釣竿受具の釣竿転向構造に関する。
【背景技術】
【０００２】
従来の船釣り用釣竿受具には、例えば、特許文献１に記載された「船釣り用釣竿ホルダー補助ブラケット」がある。
これは、船釣り用釣竿ホルダーが座体を介して船舷板上に挟んで固定され、前記座体は第１金属板を折り曲げて成るＵ字形の凹溝構造体であり、釣具を設置することができる支持フレームと竿末端固定器が設けられる。前記補助ブラケットは、第１クリップ座体、第１延伸部、第１固定部、螺子固定部を含み、そのうち、前記第１クリップ座体が逆Ｕ字形の構造体を呈し、前記第１延伸部が前記第１クリップ座体の前記座体外側に向いた一面に設けられ、前記第１固定部が前記延伸部の他端に設けられ、前記螺子固定部の一端が前記第１クリップ座体の他方の一面に設置され、延伸長さを経て前記座体内に当接され、釣具を使用するときの安定性を確保し、取り付けと拡充に便利であるというものである。
【０００３】
しかしながら、上記従来の船釣り用釣竿受具は釣竿の取り付けと拡充を行い、別の釣竿を追加して釣りをすることはできるが、その釣竿を釣竿ホルダー上に取り付けた後、固定されて回動させることができなかった。このため、風向きが変わったり、海流の方向が変わったりした時に、釣竿の方向を変えて釣糸が絡まったり、脱落したりしないようにする必要があると、釣竿を釣竿ホルダーから取り外して、釣竿の方向を調整してから、再度釣竿を釣竿ホルダーに取り付け直さなければならず、このような繰り返しの作業は非常に不便であった。特に天候が悪く、風向きや海流の方向が常に変化し続けるとき、釣竿の方向を変える作業が間に合わず、釣糸が絡まったり、釣竿のガイド上から脱落したりして、正常な釣りを継続できなくなることがある。
【先行技術文献】
【特許文献】
【０００４】
【特許文献１】台湾実用新案出願第１０２２１７５１３号明細書
【考案の概要】
【考案が解決しようとする課題】
【０００５】
本考案が解決しようとする課題は、上述の問題を解決し、釣竿を釣竿受具に取り付けたとき、風向きや海流の方向の変化に応じて、釣竿を回動させて角度を調整することができる、釣竿受具の釣竿転向構造を提供することにある。
【課題を解決するための手段】
【０００６】
本考案の釣竿受具の釣竿転向構造は、中空後管と、中空前管と、内管と、ラッチ部材を含み、前記中空前管が、前記中空後管の前端に設置され、前記中空前管にリール結合用の１組の結合部材が被着され、前記中空前管が固定部材により釣竿受具に固定され、前記中空前管及び前記中空後管が前記釣竿受具上に固定され、前記内管の後端が前記中空後管内に固定され、前端が前記中空前管内で旋回可能に前記中空前管内に組み込まれ、前記内管の後部上半部に、断面において径方向に沿う取付溝が設けられ、前記内管の前端が前記釣竿の末端と相互に連結されて、前記中空後管及び前記内管の回動に連動して、前記釣竿が同時に旋回し、前記ラッチ部材にラッチ片が設置され、前記ラッチ片の上端面上にボタンが設置され、前記ラッチ片が前記内管の取付溝中に設置され、その後端が前記内管に軸着されると共に、その前端が前記取付溝中で上下移動可能であり、前記内管の内部において前記ラッチ片の前端下方に復帰ばねが設置され、前記中空前管の内壁において前記ラッチ片の前端と対応する位置に、周方向に等間隔で配列された複数の凹陥溝が周設され、前記復帰ばねの弾力により前記ラッチ片の前端を上方に押圧して前記凹陥溝のいずれかに係止させ、前記内管を係止して回動を規制し、前記ラッチ部材のボタンを押して、前記ラッチ片の前端を前記凹陥溝内から離脱させることにより、前記内管を回動可能とし、これにより、前記中空後管を握って前記内管及び前記釣竿を回動可能とし、前記ラッチ部材のボタンを開放することにより、前記ラッチ片の前端を前記復帰ばねの弾力により対応する別の凹陥溝中に再び係止して、前記内管の回動を再び規制して、前記釣竿を回動後の位置に固定する。
【０００７】
前記内管の前端面に突起部が設けられ、前記釣竿の末端面に凹陥溝が形成され、前記突起部を前記凹陥溝中に嵌合させ、ナットによる前記内管、前記釣竿の螺合を通じて、前記内管の前端と前記釣竿の末端が相互に結合されて一体を成すことがある。
前記中空前管の上表面において前記ラッチ部材のボタンに対応する位置に、０度の位置を示し、前記釣竿が左方向または右方向に回動された角度を把握するための基準点が設けられ、前記基準点は、赤色ペンキで前記上表面に塗装されていてもよい。
前記中空後管の後端部外周に保護カバーが被着されるとよい。
この場合、前記保護カバーが弾性と摩擦力を備えたゴムスポンジ合成材質であることが望ましい。
前記中空後管に紐付けリングが被着され、前記紐付けリングに、落下した釣竿を引き寄せるための紐を取り付けるとよい。
【考案の効果】
【０００８】
本考案によれば、釣竿を釣竿受具上に取り付けたとき、風向きや海流の方向の変化に応じて、いつでも釣竿を回動させて方向（釣りをする方向）を調整することができ、釣糸が釣竿のガイド内のホイール（図示しない）から脱落して切れたり、絡んだりする問題を回避することができる。
【図面の簡単な説明】
【０００９】
【図１】本考案の実施例を示す釣竿受具の釣竿転向構造及び釣竿の斜視図である。
【図２】本考案の実施例を示す釣竿受具の釣竿転向構造及び釣竿の要部拡大図である。
【図３】本考案の実施例を示す釣竿受具の釣竿転向構造及び釣竿の要部斜視図である。
【図４】本考案の実施例を示す釣竿受具の釣竿転向構造の分解斜視図である。
【図５】本考案の実施例に係る中空前管の部分拡大図である。
【図６】本考案の実施例を示す釣竿受具の釣竿転向構造の釣竿固定時における断面図である。
【図７】本考案の実施例を示す釣竿受具の釣竿転向構造の釣竿回動時における断面図である。
【考案を実施するための形態】
【００１０】
以下、本考案の実施例を図面に基づいて詳細に説明する。
本考案の釣竿受具の釣竿転向構造は、図１に示すように、後部棒体１０を有し、後部棒体１０の前端と釣竿２０が相互に連結されて一体とされる。後部棒体１０は釣竿受具３０上に連結され、釣竿２０が釣竿受具３０により船の辺縁上（図示しない）に固定され、海釣りを行うことができるようになっている。
図２、図３、図４、図５に示すように、後部棒体１０は、中空後管１１、中空前管１２、内管１３、ラッチ部材１４を含む。
【００１１】
中空前管１２は中空後管１１の前端に設置され、中空前管１２に１組の結合部材１２１、１２２が被着され、これら２つの結合部材１２１、１２２によりリール４０に結合され、リール４０が中空前管１２上に固定される。
また、中空前管１２が固定部材１２５により釣竿受具３０上に固定され（図１参照）、中空前管１２、中空後管１１が釣竿受具３０上に固定される。
【００１２】
内管１３は、その後端がねじ１３１の螺合により中空後管１１内に固定され、前端が中空前管１２内で旋回可能に中空前管１２内に組み込まれる。内管１３の後部上半部には、断面において径方向に沿う取付溝１３２が設けられる。
また、内管１３の前端が釣竿２０の末端と相互に連接され（図６参照）、中空後管１１を握って内管１３を回動させると、釣竿２０を同時に動かして旋回させることができる（図７参照）。
【００１３】
ラッチ部材１４にはラッチ片１４１が設置され、ラッチ片１４１の上端面上にボタン１４２が設置される。
ラッチ片１４１は内管１３の取付溝１３２中に設置され、その後端がねじ１４３の螺合により内管１３に軸着され、その前端を取付溝１３２中で上下に移動させることができる（図７参照）。
内管１３の内部には、ラッチ片１４１の前端下方に復帰ばね１４４が設置され、中空前管１２の内壁のラッチ片１４１前端に対応する位置に、複数の周方向に等間隔で配列された凹陥溝１２３が周設され（図５参照）、復帰ばね１４４の弾力によりラッチ片１４１の前端を上に向かって押圧して凹陥溝１２３のいずれかに係止させ、内管１３を係止して回動できなくすることができる。
【００１４】
図４、図５、図６、図７に示すように、使用時は、ラッチ部材１４のボタン１４２を押して、ラッチ片１４１の前端を凹陥溝１２３内から離脱させ、内管１３の回動規制を解除して回動可能にすることができ、これにより、中空後管１１を握って内管１３及び釣竿２０を回動させることができる。
さらに、ラッチ部材１４のボタン１４２を放すと、ラッチ片１４１の前端が復帰ばね１４４の弾力により上方向に回動された後、対応する別の凹陥溝１２３中に再び係止され、内管１３を再び係止し、釣竿２０を回動後の位置に固定することができる。
【００１５】
このように、ラッチ部材１４のボタン１４２を押すことで釣竿２０を回動させることができ、釣竿２０を釣竿受具３０上に取り付けたとき、風向きや海流の方向の変化に応じて、いつでも釣竿２０を回動させて方向（釣りをする方向）を調整することができ、釣糸が釣竿２０のガイド２１（図１参照）内のホイール（図示しない）から脱落して切れたり、絡んだりする問題を回避することができる。
【００１６】
図４、図５、図６、図７に示すように、内管１３の前端面に突起部１３３が設けられ、釣竿２０の末端面に対応する凹陥溝２２が形成され、突起部１３３を凹陥溝２２中に嵌合させ、ナット２３による内管１３、釣竿２０の螺合を通じて、内管１３の前端と釣竿２０の末端が相互に結合されて一体を成す。
【００１７】
図４、図５、図６、図７に示すように、中空前管１２の上表面においてラッチ部材１４のボタン１４２に対応する位置に基準点１２４が設けられる。基準点１２４は赤色ペンキで前記上表面に塗装され、ちょうど０度の位置に位置し、基準点１２４を中心として、釣竿２０が左方向または右方向に回動された角度を得ることができる（即ち、左方向または右方向に何度回動されたかを把握できる）。
【００１８】
図４、図５、図６、図７に示すように、中空後管１１の後端部外周に保護カバー１１１が被着される。保護カバー１１１は弾性と摩擦力を備えたゴムスポンジ合成材質とすることができ、柔軟で手に握ったとき滑りにくくする。
【００１９】
図４に示すように、中空後管１１の外周囲に紐付けリング１１２が被着され、紐付けリング１１２に紐（図示しない）を取り付けて、釣竿２０が意図せず脱落して海に落ちてしまっても、前記紐で釣竿２０を引っ張り、船上の使用者の手中に取り戻すことができるようになっている。
【００２０】
以上は、本考案の実施例の説明であって、本考案の権利範囲を限定するものではなく、本考案の実用新案登録請求の範囲を逸脱しない変更や修飾はいずれも本考案の権利範囲に含まれる。
【符号の説明】
【００２１】
１０      後部棒体
１１      中空後管
１１１    保護カバー
１１２    紐付けリング
１２      中空前管
１２１、１２２    結合部材
１２３    凹陥溝
１２４    基準点
１２５    固定部材
１３      内管
１３１    ねじ
１３２    取付溝
１３３    突起部
１４      ラッチ部材
１４１    ラッチ片
１４２    ボタン
１４３    ねじ
１４４    復帰ばね
２０      釣竿
２１      ガイド
２２      凹陥溝
２３      ナット
３０      釣竿受具
４０      リール
【図１】
0003209036.tif 000003
【図２】
0003209036.tif 000004
【図３】
0003209036.tif 000005
【図４】
0003209036.tif 000006
【図５】
0003209036.tif 000007
【図６】
0003209036.tif 000008
【図７】
0003209036.tif 000009